(57)【要約】非常事態の優先度でもって取り扱われるパケットデータのトランザクションを移動端末（１１０）のユーザーが発信できるようにするための非常事態パケットトランザクションを実行するシステムおよび方法。パケットデータのネットワークインフラストラクチャーは、パケットデータと非常事態の表示を受信し、当該パケットデータのための宛先アドレスを決定し、当該パケットデータを非常事態サービスエンティティ（１７０）に送信する。これにより非常事態サービスエンティティ（１７０）は、移動端末（１１０）のユーザーに応答可能となる。
2004533164.tif 000002
【特許請求の範囲】
【請求項１】
移動端末からパケットデータを受信するネットワーク・サポート・インフラストラクチャーにおいてパケットデータを処理する方法であって、
移動端末から非常事態の表示を含むパケットチャネル・リクエスト・メッセージを受信するステップと、
前記移動端末へとパケット上り回線割り当てメッセージを送信するステップと、
パケットデータチャネルの上り回線を介してパケットデータを受信するステップと、
前記パケットデータ用に、非常事態サービスエンティティを識別するための宛先アドレスを決定するステップと、
前記宛先アドレスによって識別される前記非常事態サービスエンティティに前記パケットデータを転送するステップと、を含む方法。
【請求項２】
前記宛先アドレスを決定するステップは、
複数の非常事態サービスエンティティと関連づけられた複数の宛先アドレスを含むデータベースにアクセスするステップと、
前記データベースから宛先アドレスを選択するステップと、を含む請求項１に記載の方法。
【請求項３】
前記データベースから宛先アドレスを選択するステップは、さらに、
前記パケットデータを送信している前記移動端末の位置に関連する情報に基づいて前記宛先アドレスを選択するステップを含む、請求項２に記載の方法。
【請求項４】
前記移動端末は、前記ネットワーク・サポート・インフラストラクチャーに移動管理情報が記憶されておらず、前記ネットワーク・サポート・インフラストラクチャーによってアクティブなパケットデータプロトコルのコンテクストを保持されることなく、前記パケットデータを送信する、請求項１に記載の方法。
【請求項５】
前記移動端末から受信された、非常事態の表示を含まない付加的なパケットデータについて、非・非常事態用の処理ルールにしたがって処理するステップをさらに含む、請求項１に記載の方法。
【請求項６】
前記非常事態サービスエンティティからパケットデータを受信するステップと、
前記パケットデータを前記移動端末に転送するステップと
をさらに含む請求項１に記載の方法。
【請求項７】
非常事態のパケットデータを受信して転送するシステムであって、
移動端末から非常事態の表示を含むパケットチャネル・リクエスト・メッセージを受信し、前記移動端末へと上り回線割り当てメッセージを送信する基地局と、
パケットデータチャネルの上り回線を介して前記非常事態のパケットデータを受信し、該非常事態パケットデータと前記非常事態の表示とを転送する第１のノードと、
前記第１のノードから前記非常事態のパケットデータと前記非常事態の表示を受信し、前記非常事態のパケットデータ用に非常事態サービスエンティティを識別する宛先アドレスを決定し、前記宛先アドレスによって識別される前記非常事態サービスエンティティに前記非常事態のパケットデータを転送する第２のノードとを含む、システム
【請求項８】
複数の非常事態サービスエンティティと関連づけられた複数の宛先アドレスを含むデータベースをさらに含み、前記非常事態のパケットデータ用に前記宛先アドレスを決定する際に、前記第２のノードは、前記データベースにアクセスし、該データベースから宛先アドレスを選択する、請求項７に記載のシステム。
【請求項９】
前記データベースから前記宛先アドレスを選択する際に、前記第２のノードは、前記パケットデータを送信している前記移動端末の位置に関連する情報に基づいて前記宛先アドレスを選択する、請求項８に記載のシステム。
【請求項１０】
前記第２のノードは、前記非常事態サービスエンティティからパケットデータを受信し、前記移動端末に該パケットデータを転送する、請求項７に記載のシステム。
【請求項１１】
前記第１のノードは、在圏一般パケット無線サービス（ＧＰＲＳ）のサポートノード（ＳＧＳＮ）を含み、前記第２のノードは、ゲートウェイＧＰＲＳサポートノード（ＧＧＳＮ）を含む、請求項７に記載のシステム。
【請求項１２】
前記第１のノードは、前記非常事態のパケットデータを受信したあとで、前記移動端末と関連づけられた国際移動体加入者識別情報を、レディ状態にあるものとして識別する、請求項７に記載のシステム。
【請求項１３】
前記第１のノードは、前記非常事態のパケットデータを受信すると、前記非常事態のパケットデータの処理に関係付けられた期間を設定されたタイマーをスタートさせ、
前記期間が満了すると、前記第２のノードへと通知を送信し、
前記移動端末と関係付けられたＩＭＳＩがアイドル状態にあるものとして識別する、請求項１２に記載のシステム。
【請求項１４】
移動端末であって、
非常事態の表示を含むパケットチャネル・リクエスト・メッセージを送信する送信デバイスと、
前記移動端末に、パケットデータチャネルの上り回線上の少なくとも１つの無線ブロックを割り当てるためのパケット上り回線割り当てを受信する受信デバイスと、
非常事態のパケットデータを前記送信デバイスに転送する処理ロジックと
を含み、前記送信デバイスは、論理リンク制御層のプロトコルデータユニットを使用して前記非常事態のパケットデータを送信する、移動端末。
【請求項１５】
前記受信デバイスは、前記非常事態のパケットデータの送信に応じ、非常事態サービスエンティティからパケットデータを受信する、請求項１４に記載の移動端末。
【請求項１６】
前記移動端末は、前記ネットワーク・サポート・インフラストラクチャーに移動管理情報が記憶されておらず、前記ネットワーク・サポート・インフラストラクチャーによってアクティブなパケットデータプロトコルのコンテクストを保持することなく、前記パケットデータを送信する、請求項１４に記載の移動端末。
【請求項１７】
非常事態のパケットデータを受信して転送するシステムであって、
移動端末から非常事態パケットチャネル・リクエスト・メッセージを受信し、該移動端末へと上り回線割り当てメッセージを送信する基地局と、
パケットデータチャネルの上り回線を介してパケットデータを受信し、該パケットデータのペイロード部分と非常事態の表示とを転送する在圏一般パケット無線サービス（ＧＰＲＳ）のサポートノード（ＳＧＳＮ）と、
前記ＳＧＳＮから前記パケットデータのペイロード部分と非常事態の表示を受信し、宛先アドレスによって非常事態サービスエンティティが識別されるよう、該パケットデータ用の宛先アドレスを決定し、該パケットデータを該宛先アドレスによって識別される非常事態サービスエンティティに転送するＧＧＳＮと、を含むシステム。
【請求項１８】
前記移動端末は、論理リンク制御（ＬＬＣ）層のプロトコルデータユニット（ＰＤＵ）を使用して前記ＳＧＳＮに前記パケットデータを送信し、前記ＳＧＳＮは、インターネットプロトコル（ＩＰ）層のＰＤＵを使用して前記ＧＧＳＮに前記ペイロード部分と前記非常事態の表示とを送信する、請求項１７に記載のシステム。
【請求項１９】
前記ＧＧＳＮは、ＩＰ層のＰＤＵを使用しているネットワークを介して、前記ペイロード部分を前記非常事態サービスエンティティに送信する、請求項１８に記載のシステム。
【請求項２０】
前記ＧＧＳＮは、前記非常事態サービスエンティティからパケットデータを受信し、前記ＳＧＳＮを介して該パケットデータを前記移動端末に転送する、請求項１７に記載のシステム。
【請求項２１】
前記ＳＧＳＮは、前記パケットデータのペイロード部分と前記非常事態の表示とを受信したあとで、前記移動端末がレディ状態にあるものと識別し、
前記レディ状態は、前記移動端末がネットワーク関連サービスを使用してパケットデータを受信できることを示している、請求項１７に記載のシステム。
【請求項２２】
前記ＳＧＳＮは、前記パケットデータのペイロード部分と前記非常事態の表示とを受信したあとで、タイマーをスタートさせ、前記非常事態サービスエンティティからのパケットデータが前記ＳＧＳＮによって受信されると、前記タイマーをリスタートさせる、請求項２１に記載のシステム。
【請求項２３】
前記ＳＧＳＮは、前記タイマーが予め定められた値に達すると、前記移動端末がアイドル状態にあるものと識別する、請求項２２に記載のシステム。
【請求項２４】
複数の非常事態サービスエンティティと関連づけられた複数の宛先アドレスを含むデータベースをさらに含み、前記パケットデータ用の宛先アドレスが決定されると、前記ＧＧＳＮは、前記パケットデータと前記関連する非常事態の表示とを送信してきた前記ＳＧＳＮの位置に基づいて前記データベースから宛先アドレスを選択する、請求項１７に記載のシステム。
【請求項２５】
移動端末と、基地局と、少なくとも２つのネットワークサポートノードと、少なくとも１つの非常事態サービスエンティティとを含むネットワークにおいて、非常事態のパケットトランザクションを処理する方法であって、
前記移動端末から前記基地局に非常事態の表示を含むパケットチャネル・リクエスト・メッセージを送信するステップと、
前記パケットチャネル・リクエスト・メッセージの受信に応じて、前記基地局から前記移動端末にパケット上り回線割り当てメッセージを送信するステップと、
パケットデータチャネルの上り回線上でパケットデータを送信するステップと、
第１のネットワークサポートノードにおいて前記パケットデータを受信するステップと、
前記パケットデータが非常事態のメッセージに関連するかどうかを決定するステップと、
前記パケットデータが非常事態のメッセージに関連するときは、前記パケットデータと前記非常事態の表示とを第２のネットワークサポートノードに送信するステップと、
宛先アドレスによって非常事態サービスエンティティが識別されるよう、前記パケットデータ用の宛先アドレスを決定するステップと、
前記宛先アドレスによって識別される非常事態サービスエンティティに前記パケットデータを送信するステップと、を含む方法。
【請求項２６】
前記非常事態サービスエンティティからパケットデータを受信するステップと、
前記第１および第２のネットワークサポートノードを介して前記移動端末に前記パケットデータを転送するステップと、をさらに含む請求項２５に記載の方法。
【請求項２７】
パケットデータと該パケットデータに関連する非常事態の表示とを送信する移動端末と、
前記パケットデータと前記非常事態の表示とを受信し、該パケットデータと該非常事態の表示とを転送する第１のノードと、
前記第１のノードから前記パケットデータと前記非常事態の表示とを受信し、宛先アドレスによって非常事態サービスエンティティが識別されるよう、前記パケットデータ用の宛先アドレスを決定し、前記宛先アドレスによって識別される前記非常事態サービスエンティティに前記パケットデータを転送する第２のノードと、を含むシステム。
【請求項２８】
少なくとも一つのプロセッサー上で実行されると、該プロセッサーにパケットデータの処理方法を実行させる複数のインストラクションのシーケンスを記憶したコンピュータ可読記憶媒体であって、該処理方法は、
移動端末から非常事態の表示を含むパケットチャネル・リクエスト・メッセージを受信するステップと、
前記移動端末へとパケット上り回線割り当てメッセージを送信するステップと、
パケットデータチャネルの上り回線を介してパケットデータを受信するステップと、
複数の非常事態サービスエンティティと関連づけた複数の宛先アドレスを含むデータベースにアクセスするステップと、
前記データベースから宛先アドレスを選択するステップと、
前記パケットデータと前記非常事態の識別とを、前記選択された宛先アドレスによって識別される前記非常事態サービスエンティティに転送するステップとを含む、コンピュータ可読記憶媒体。
【請求項２９】
前記パケットデータ用の宛先アドレスを選択するステップは、
前記移動端末の位置に関連する情報に基づいて前記宛先アドレスを選択するステップを含む、請求項２８に記載のコンピュータ可読記憶媒体。
【請求項３０】
パケットデータを受信して転送するネットワークデバイスであって、
非常事態のパケットデータを処理するためのインストラクションを記憶するメモリと、
移動端末から非常事態パケットチャネル・リクエスト・メッセージを受信し、該移動端末へと上り回線割り当てメッセージを送信し、パケットデータチャネルの上り回線を介して非常事態のパケットデータを受信し、宛先アドレスによって非常事態サービスエンティティが識別されるよう、前記非常事態パケットデータ用の宛先アドレスを決定し、該非常事態のパケットデータを該非常事態サービスエンティティに転送する処理デバイスと、を含むネットワークデバイス。
【発明の詳細な説明】
【技術分野】
【０００１】
本発明は一般にパケットデータネットワークに係り、とりわけ非常事態パケットデータサービスに関する。
【背景技術】
【０００２】
パケットデータトランザクションの発信を許可される前に、パケットデータ装置は「アタッチ」されていなければならない（すなわち、移動管理の目的のために登録されていなければならない）。これは一般に数秒の時間を消費するものである。
【発明の開示】
【発明が解決しようとする課題】
【０００３】
また、パケットデータトランザクションの発信が許可される前に、パケットデータ装置は、アクティブなパケットデータプロトコル（ＰＤＰ）のコンテクストを保持していなければならない（すなわちパケットデータのインフラストラクチャーによって正式に認識され、かつ受け入れられていなければならない）。これは一般に非常に多くの時間（例えば数十秒）を消費する動作であり、パケットデータのユーザーが何れかの種類のパケットデータを送信したいと考え電源を投入するときは、常に前もって実行されなければならない動作でもある。
【０００４】
したがって、非常事態パケットの通信を発信するためには、ユーザーのパケットデータ装置は、これらの予備的な動作が完了するのを待たなければならないため、それによって、パケットデータの実際の送信が遅延してしまうのである。さらに、ユーザーは、所望の非常事態サービスを供給する機能を有した受信側装置の宛先アドレスを含んだ送信用の非常事態パケットデータを生成しなければならない。これによって、非常事態メッセージを発信および送信するためのプロセスにさらなる時間が累積されてしまう。
【課題を解決するための手段】
【０００５】
ここで総括的かつ広範囲にわたり説明される本発明によれば、移動端末からパケットデータを受信するネットワーク・サポート・インフラストラクチャーに、パケットデータを処理するための方法が提供される。当該方法は、移動端末から非常事態の表示（インディケーション）を含むパケットチャネルのリクエストメッセージを受信し、移動端末にパケットの上り回線割り当てメッセージを送信することを含む。当該方法は、同様にパケットデータチャネルの上り回線を介して非常事態パケットデータを受信し、宛先アドレスによって非常事態サービスエンティティを識別できるようにパケットデータの宛先アドレスを決定することを含む。当該方法は、さらに、宛先アドレスによって識別された非常事態サービスエンティティに非常事態パケットデータを転送することを含む。
【０００６】
本発明に係る他の実施態様によれば、非常事態パケットデータを受信して転送するシステムには、移動端末から非常事態の表示を含むパケットチャネル・リクエスト・メッセージを受信し、移動端末へと上り回線の割り当てメッセージを送信する基地局が含まれる。当該システムは、同様に、パケットデータチャネルの上り回線を介して非常事態パケットデータを受信し、当該非常事態パケットデータと非常事態の表示とを転送する第１のノードを含んでいる。さらに当該システムは、第１のノードから非常事態パケットデータと非常事態の表示とを受信し、宛先アドレスによって非常事態サービスエンティティが識別されるよう当該非常事態パケットデータ用の宛先アドレスを決定する第２のノードを含んでいる。当該第２のノードは、同様に、宛先アドレスによって識別される非常事態サービスエンティティにパケットデータを転送する。
【０００７】
本発明に係るさらに他の実施態様において移動端末が提供される。移動端末は、非常事態の表示を含んだパケットチャネル・リクエスト・メッセージを送信する送信装置を含んでいる。移動端末は、同様に、パケットデータチャネルの上り回線上の少なくとも１つの無線ブロックを移動端末に割り当てるためのパケット上り回線割り当てを受信する受信装置を含む。現在と同じ数の上り回線の無線ブロックを使用する必要をなくすため、パケット上り回線の割り当てが動的な割り当てを示してもよい。さらに、移動端末は、非常事態パケットデータを当該送信装置に転送するための処理ロジックを含んでもよい。当該送信装置は、論理リンク制御層プロトコルのデータユニットを使用して、非常事態パケットデータを送信する。
【０００８】
さらに本発明に係る他の実施態様では、インストラクションのシーケンスを備えたコンピュータ可読媒体が提供される。インストラクションは、少なくとも１つのプロセッサーによって実行されると、当該プロセッサーに非常事態パケットデータを処理するための方法を実行させる。当該方法は、移動端末から非常事態の表示を含むパケットチャネルのリクエストメッセージを受信し、移動端末への上り回線割り当てメッセージを送信することを含む。当該方法は、同様に、非常事態パケットデータおよび非常事態の表示を受信し、複数の非常事態サービスエンティティと関連付けられた複数の宛先アドレスを含んだデータベースにアクセスすることを含む。さらに、当該方法は、データベースから非常事態パケットデータのための宛先アドレスを選択し、宛先アドレスによって識別される非常事態サービスエンティティに非常事態パケットデータと非常事態の表示を送信することを含む。
【発明を実施するための最良の形態】
【０００９】
本発明の以下の詳細な説明では添付図面を参照する。異なる図面において同一の参照符号が用いられている場合、それらは同一または類似の要素を指し示している。また、以下の詳細な説明は本発明を限定するものではない。その代わりに、本発明の範囲は添付の請求項とその均等物によって定義される。
【００１０】
本発明に係るシステムおよび方法によって、非常事態の優先度にて処理されるパケットデータのトランザクションを移動端末のユーザーが速やかに発信できるようにするものである。非常事態パケットデータは、指定された非常事態急報センターへと自動的に経路制御（ルーティング）されうる。
【００１１】
図１は、本発明に係るシステムおよび方法を実施可能な例示的なネットワーク１００を示している。当該ネットワーク１００は、移動端末（ＭＴ）１１０、基地局（ＢＳ）１２０、在圏一般パケット無線サービス（ＧＰＲＳ）のサポートノード（ＳＧＳＮ）１３０、ゲートウェイＧＰＲＳのサポートノード（ＧＧＳＮ）１４０、ＧＰＲＳのホーム・ロケーション・レジスタ（ＨＬＲ）１５０、パケットデータネットワーク（ＰＤＮ）１６０、および非常事態サービスセンター（ＥＳＣ）１７０を含むことができる。図１において例示された構成要素の数は簡略化されている。見て分かるように、典型的なネットワーク１００は、図１に例示されている数よりも多くの構成要素を含んでもよいし、より少ない数の構成要素を含んでもよい。
【００１２】
移動端末１１０は、移動端末のユーザーがＰＤＮ１６０を介して他の装置と相互に動作することを可能にしている。以後では、ＰＤＮ１６０を介してデータを送信および受信する際に、拡張一般パケット無線サービス（ＥＧＰＲＳ）／ＥＧＰＲＳ−１３６のプロトコルにしたがって移動端末１１０が通信を実行するものとする。ここで説明されるように、移動端末１１０には、マルチライン表示装置を搭載または非搭載のセルラー無線電話機；セルラー無線電話機に、データ処理機能、ファクシミリ機能およびデータ通信機能を組み合わせたようなパーソナル通信システム（ＰＣＳ）；無線電話機、ポケットベル、インターネット／イントラネットへのアクセス機能、ウェブブラウザ、オーガナイザー、カレンダー、および／またはグローバル位置情報システム（ＧＰＳ）の受信機を含むことができる携帯情報端末（ＰＤＡ）；並びにラップトップ受信機および／またはパームトップ受信機、または無線電話通信機を含む他の家電製品が含まれうる。移動端末は、また、「広く普及した情報処理」装置と呼ぶこともできよう。
【００１３】
基地局１２０によって、他の装置は移動端末１１０と通信することが可能になる。基地局１２０は、例えば、２００ｋＨｚのチャネル上で移動端末１１０にパケットデータサービスを提供することができる。基地局１２０は、一以上の無線基地局装置（不図示）と基地局制御装置（不図示）を含んでもよい。無線基地局装置は、移動端末１１０からの無線信号を受信したり、移動端末１１０に無線信号を送信したりすることができる。基地局制御装置は、ＳＧＳＮ１３０に複数の無線基地局装置を相互接続することができる。
【００１４】
ＳＧＳＮ１３０は、移動端末１１０と他の装置間のパケットデータセッションを制御するための電気回路を含んでもよい。ＳＧＳＮ１３０は、それらのセッションをＧＧＳＮ１４０に接続することができる。ＧＰＲＳ ＨＬＲ１５０は、加入者のパケットデータサービス用の加入者データを記憶して管理するための１以上のデータベースを含んでもよい。ＳＧＳＮ １３０による問合せの際に、ＧＰＲＳ ＨＬＲ１５０は、パケットデータの加入者関連情報を提供してもよい。ＧＧＳＮ １４０による問合せの際に、ＧＰＲＳ ＨＬＲ １５０は、示された加入者に経路制御情報を提供してもよい。
【００１５】
ＧＧＳＮ １４０は、移動端末１１０とＰＤＮ １６０の間のパケットデータセッションを接続するための電気回路を含んでもよい。ＰＤＮ １６０は、経路制御データパケットのための一以上の伝統的なネットワークを含んでもよい。ＥＳＣ １７０は、ＰＤＮ １６０を介して送信される非常事態データを受信するために指定されたエンティティを含んでもよい。以下で詳細に説明するように、例えば、ＥＳＣ １７０は、ＰＤＮ１６０を介して非常事態パケットデータメッセージを受信し、当該受信したメッセージに応答する急報センターを含んでもよい。
【００１６】
図２は、本発明に係る移動端末１１０の例示的な構成を示している。図示されているように、移動端末１１０は、アンテナ２０５、通信装置２１０、等化器２１５、エンコーダ／デコーダ２２０、処理ユニット２２５、記憶装置２３０、出力装置２３５、入力装置２４０、クロック２４５およびバス２５０を含んでもよい。
【００１７】
アンテナ２０５は、情報を送信したり受信したりする機能を有する伝統的なアンテナを含んでもよい。通信装置２１０は、アンテナ２０５を介してネットワーク１００のようなネットワーク内で、データバーストの送信またはデータバーストの受信の少なくとも一方を行なう、よく知られた通信回路を含んでもよい。通信装置２１０は、同様に、移動端末１１０がネットワーク１００内における自己の位置を決定する際に役立つ、ＧＰＳ受信機２１２を含んでもよい。
【００１８】
等価器２１５は、受信したシンボルシーケンスを評価して符号間干渉を除去する伝統的なビダビトレリスの実現デバイスのような装置を含んでもよい。エンコーダ／デコーダ２２０は、受信したシンボルシーケンスを復号したり、送信するためのシンボルシーケンスを符号化したりするための伝統的な電気回路を含んでもよい。
【００１９】
処理ユニット２２５は、インストラクションを解釈して実行する伝統的なプロセッサーあるいはマイクロプロセッサーの何れかのタイプを含んでもよい。処理ユニット２２５は、データの入力、データの出力、およびデータの処理のための全てのデータ処理機能を実行することができる。メモリ２３０は、処理機能を実行する際に処理ユニット２２５により使用されるデータやインストラクションの永久的な記憶領域、半永久的な記憶領域、あるいは一時的な作業の記憶領域を提供してもよい。メモリ２３０には、磁気および光学の少なくとも一方による記録媒体とその対応するドライブのような大容量記憶装置が含まれてもよい。
【００２０】
出力装置２３５は、オペレーターに情報を出力する一以上の従来の機構を含んでもよく、表示装置、プリンタ、スピーカーおよびその他などが含まれてもよい。入力装置２４０は、オペレーターに移動端末１１０への情報入力を可能ならしめる一以上の従来の機構を含んでもよく、キーパッド、マウス、マイクロホン、ペン、音声認識および生体測定などの少なくとも一つを含んでもよい。出力装置２３５および入力装置２４０は、受信した情報を第１のフォーマットからの第２のフォーマットに変換するための他の付加的な装置（不図示）を含んでもよい。
【００２１】
クロック２４５は、移動端末１１０によって実行される１以上の機能に関係するタイミング関連の動作を実行する伝統的な電気回路を含んでもよい。クロック２４５は、例えば、１以上のカウンターを含んでもよい。バス２５０は、移動端末１１０に含まれる種々の構成要素を相互接続して各構成要素が相互に通信できるようにする一以上の伝統的なバスを含んでもよい。
【００２２】
図２に示された移動端末１１０の構成は、図解目的のためにだけ提供している。当業者であれば他の構成が使用されてもよいことを理解できよう。しかも、当業者であれば、典型的な移動端末１１０が、データの受信、送信または処理を手助けするような他のデバイスを含んでもよいことを理解できよう。
【００２３】
本発明に係る移動端末１１０は、パケットデータトランザクションの設定時に、パケットデータトランザクションが非常事態用であることの明瞭な表示を提供することができる（例えば、非常事態ではないパケットデータトランザクションについて一般に示されるサービス品質よりも高いサービス品質をユーザーが示してもよい。）。この表示は、パケットチャネルのリソース割り当てに関する優先扱いを確固ならしめるために使用されてもよい。例えば、ＥＧＰＲＳ／ＥＧＰＲＳ−１３６のシステムにおいて、これは「非常事態チャネルリクエスト」のような新しいタイプのパケットチャネル・リクエスト・メッセージを定義することによって達成されてもよい。
【００２４】
さらに、もしパケットデータインフラストラクチャーにまだアタッチされておらず、かつアクティブになっているＰＤＰコンテクストを所有していな違場合には、非常事態パケットデータのトランザクションを発信する移動端末１１０が、これらの動作を通じたオーバヘッドに時間を割いてもよい。本発明の例示的な実施形態によれば、移動端末１１０は、自身を正式にインフラストラクチャーへとアタッチさせることを回避してもよい。さらに、移動端末１１０は、ＧＧＳＮ１４０内においてインターネットプロトコル（ＩＰ）アドレスの特別なプールをサポートすることによって、ＰＤＰコンテクストをアクティブにする必要性を回避してもよい。これらの特別なＩＰアドレスは、またアクティブなＰＤＰコンテクストを有していない移動端末１１０から発信される非常事態パケットデータのトランザクションのために排他的に使用されてもよい（すなわち、これらはアクティブにされる前のパケットデータのコンテクストを表すことになる）。ＧＧＳＮ １４０は、これらの特別なＩＰアドレスの１つを割り当て、それを、非常事態パケットデータトランザクションを発信した移動端末１１０の識別情報（例えば、国際移動電話加入者ＩＤ（ＩＭＳＩ））と関連づけてもよい。このアプローチを使用して、移動端末１１０は電源が投入されてから最小の遅延でもって、非常事態パケットデータのトランザクションを送信することが可能になろう。
【００２５】
本発明に係るネットワーク１００は、同様に、非常事態ではないパケットデータのトランザクションを、最善の取り扱いにより受信することを希望しているユーザーによって、この機能が濫用されることを防止するために、非常事態パケットのトランザクションが本当に非常事態に関係するかどうかを検証してもよい。本発明の例示的な実施形態では、エアインタフェースのアクセス階層（例えば、媒体アクセス制御（ＭＡＣ）層）内の処理によって、非常事態パケットデータのトランザクションが試行中であることを示す明瞭な表示を提供する。一度、無線アクセスネットワークによって受信されると、非常事態のステータス情報は、非常事態パケットデータ自身とともにネットワークインフラストラクチャー上へに受け渡される。ネットワークインフラストラクチャーでは、宛先ＩＰアドレスが、非常事態ＩＰアドレスのデータベースにしたがって提供される。なお、宛先ＩＰアドレスは、非常事態パケットデータのトランザクションを送信するときに、移動端末１１０によって使用されている無線アクセスネットワークの部分に基づいて選択されてもよい。ネットワークインフラストラクチャーに宛先ＩＰアドレスを決定させることで、非常事態パケットデータのトランザクション機能が、例えば、インターネットサーフィンなどの通常のパケットサービスに濫用されることがないように保証される。
【００２６】
移動端末１１０が、上述の処理手続や、以下でより詳細に説明するようなメモリ２３０のようなコンピュータ可読媒体に記憶されているインストラクションのシーケンスを実行する処理ユニット２２５に応じた処理を実行してもよい。コンピュータ可読媒体には、１以上のメモリ要素が含まれることは理解されなければならない。インストラクションは、他のコンピュータ可読媒体から、あるいは通信装置２１０を介して他の装置から、メモリ２３０へと読み出されてもよい。メモリ２３０に搭載されているインストラクションシーケンスを実行することによって、後述のステップを処理ユニット２２５により実行させることができる。代替的な実施形態において、本発明を実現するためのソフトウェアインストラクションと組み合わせて、あるいはそれと置換してハードワイヤードの電気回路が使用されてもよい。このように、本発明は、ハードウェア電気回路とソフトウエアの特定の組み合わせに限定されるものではない。
【００２７】
図３ないし図５は、本発明の例示的な実施形態による非常事態パケットデータトランザクションの発信処理と実行処理を示している。移動端末の電源が投入されると（図３のステップ３１０）処理が開始される。移動端末１１０のユーザーが非常事態パケットデータのトランザクションを発信したいと希望しているものと仮定する。
【００２８】
例えば、聴覚障害のある移動端末１１０のユーザーが、ＥＳＣ１７０のようなＥＳＣに関連する２ウェイのパケットデータトランザクションによって最良のサービスを提供されるであろう非常事態に遭遇するかもしれない。他の状況では、移動端末１１０のユーザーが、パケットデータサービスだけが利用可能な（すなわちサービスエリア内に利用可能な音声サービスがないような）非常事態に遭遇するかもしれない。パケットデータサービスと音声サービスの双方とも利用可能であるが、非常事態の性質がＥＳＣへとデータ（例えば、ＧＰＳの位置情報、医療情報およびその他のデータ）を転送する必要があるような非常事態に移動端末１１０のユーザーが遭遇したときに発生しうる他の状態もありうる。パケットデータの送信を使用することで、最もよくサポート可能な非常事態サービスを、移動末端１１０のユーザーが必要とするような他のいくつかのシナリオも発生するかもしれない。
【００２９】
何れかのイベントにおいて、移動端末１１０は、パケットランダムアクセスチャネル（ＰＲＡＣＨ）上でコンテンションベースのアクセスを確立し、「非常事態」示すパケットチャネル・リクエスト・メッセージを送信する［ステップ３２０］。ＢＳ１２０（図１）は、当該パケットチャネル・リクエスト・メッセージを受信する。本発明に係るＢＳ１２０は、移動端末１１０へのパケット上り回線割り当てメッセージを送信することが可能である。パケット上り回線割り当てメッセージが、１以上のパケットデータチャネル（ＰＤＣＨ）の上り回線上の無線ブロックを移動端末１１０に割り当ててもよい。これは一時的なブロックフロー（ＴＢＦ）の確立処理として知られているかもしれない。
【００３０】
移動端末１１０は、パケット上り回線割り当てメッセージを受信し、それによってコンテンションベースのアクセスが承認される［ステップ３４０］。そして移動端末１１０は、上り回線のＴＢＦを使用するとともに、論理リンク制御（ＬＬＣ）層プロトコルのデータユニット（ＰＤＵ）を利用して、非常事態パケットデータをＳＧＳＮ１３０へと転送する［ステップ３４０］。ＳＧＳＮ １３０は、「非常事態」の表示を伴うＬＬＣのＰＤＵを受信し［ステップ３５０］、図４で示すように処理を継続する。「非常事態」の表示がＢＳ１２０からＳＧＳＮ １３０へと伝達する処理についてはまだ説明していないが、これは本発明の要点が不明瞭とならないよう、ここでは省略することにする。しかしながら、そのようなトランザクションを実行するために必要とされるプロシージャや手段は、当業者にとって明白であろう。さらに、そのようなトランザクションをサポートするには、基地局システムのＧＰＲＳプロトコル（ＢＳＳＧＰ）に修正が必要とされてもよい。
【００３１】
移動端末１１０からＬＬＣ ＰＤＵを受信した後で、ＳＧＳＮ １３０は、関連するＩＭＳＩ（すなわち、ＩＭＳＩは移動端末１１０を識別している。）を、ＧＰＲＳ移動管理（ＧＭＭ）の「レディ」状態に配置させることで「アタッチ」したものとしてマークする。ＧＭＭのレディ状態は、移動端末１１０がネットワーク関連サービスを利用してパケットデータを受信できることを示している。ＳＧＳＮ １３０は、同様に、「非常事態サービス」タイマー（すなわち非常事態サービスに特化した固有のタイマーＴES）を開始することできる［ステップ４１０］。タイマーＴESには、特定のシステム要求に基づいて、いずれかの特定の期間を設定することができる。本発明に係る例示的な実施形態では、ＥＳＣ １７０からのパケットデータの応答がＳＧＳＮ １３０によって受信されるまで、タイマーＴESがカウントを実行してもよい。パケットデータがＥＳＣ １７０から受信されると、タイマーＴESをリセットしてもよい。
【００３２】
ＳＧＳＮ  １３０が、同様に、ＬＬＣ層のＰＤＵ（すなわちＩＰ層のＰＤＵ）からペイロードを取り出して、それらを「非常事態」の表示とともにＧＧＳＮ １４０へと転送する［ステップ４２０］。ＧＧＳＮ １４０への「非常事態」の表示を伝達するためのプロセスは、本発明の要点が不明瞭とならないようにここでは省略する。しかしながら、そのようなトランザクションを実行するために必要とされるプロシージャと手段は、当業者であれば明白であろう。さらに、そのようなトランザクションをサポートするには、ＧＰＲＳのトンネル化プロトコル（ＧＴＰ）への修正が必要とされうるとは理解できよう。
【００３３】
何れかのイベントにおいて、タイマーＴESが"タイムアウトすると"（すなわち、ＴESがリセットされることなく、予め定められた期間に達すると）、ＳＧＳＮ １３０は、関連するＩＭＳＩについての「満了」通知をＧＧＳＮ １４０に供給し、このＩＭＳＩについてＧＭＭの状態を「アイドル」に変更してもよい［ステップ４３０］。
【００３４】
もし、ＳＧＳＮ １３０が、移動端末１１０からこのＩＭＳＩに関連し、かつ、「非常事態」の表示を有する追加のＬＬＣ層のＰＤＵを受信したならば、ＳＧＳＮ １３０は、ＩＰ層ＰＤＵとして、関連するペイロードをＧＧＳＮ １４０に送信し、タイマーＴESをリスタートさせる［ステップ４４０］。あるいは、ＳＧＳＮ １３０は、移動端末１１０からのこの追加の非常事態パケットの送信について、新たなタイマーＴESをスタートさせてもよい。しかしながら、もしＳＧＳＮ １３０がこのＩＭＳに関係する移動端末１１０から、追加のＬＬＣ層ＰＤＵであって「非常事態」の表示を有さないものを受信したならば、ＳＧＳＮ １３０は、非・非常事態の処理ルールにしたがってそれらを処理する（例えば、ＰＤＰのコンテクストは保持されていなければならないし、かつ、移動端末１１０はＧＰＲＳにアタッチされていなければならない）［ステップ４５０］。いずれかのイベントにおいて、ＧＧＳＮ１４０は、ＳＧＳＮ１３０から「非常事態」の表示を伴うＩＰ層のＰＤＵを受信し［ステップ４６０］、図５に示されるような処理を継続する。
【００３５】
ＳＧＳＮ １３０から「非常事態」の表示を伴うＩＰ層ＰＤＵを受信した後に、ＧＧＳＮ １４０は、ＳＧＳＮ １３０（あるいはセルサイト）に基づいて、ＥＳＣ１７０に関係している宛先ＩＰアドレスを選択する ［図５のステップ５１０］。なお、ＳＧＳＮ １３０（あるいはセルサイト）から「非常事態」の表示を有しているＩＰ ＰＤＵを受信したものとする。
【００３６】
例えば、ＧＧＳＮ１４０が、様々なＥＳＣに関係しているＩＰアドレスのデータベースにアクセスしてもよく、ＥＳＣ１７０（図１）に関係している宛先ＩＰアドレスを選択してもよい。その際には、パケットデータトランザクションを発信した移動端末１１０の位置に基づくか、あるいはＧＧＳＮ１４０へとパケットデータを転送しているＳＧＳＮ １３０の位置に基づいて選択してもよい。ＥＳＣに関係しているアドレスのデータベースは、ＧＧＳＮ １４０の内部に配置されていてもよいし、その外部に配置されていてもよい。ＧＧＳＮ １４０は、同様に、発信元ＩＰアドレスを、非常事態のパケットトランザクションを発信した移動端末１１０のＩＭＳＩに割り当ててもよい［ステップ５２０］。これは、ＥＳＣ １７０が移動端末１１０へとＩＰ  ＰＤＵを返信できるようにするためである。
【００３７】
ＧＧＳＮ １４０は、ＰＤＮ１６０（図１）を介してＥＳＣ １７０のような適切なＥＳＣへとＩＰ ＰＤＵを送信することができる［ステップ５３０］。ＳＧＳＮ １３０から「満了」の表示を受信するまで、ＧＧＳＮ １４０は、同様に、割り当てられた宛先ＩＰアドレスおよび割り当てられた発信元ＩＰアドレスに対するＩＭＳＩの関連付けを保持し、当該表示が受信されると当該関連付けが取り消される［ステップ５４０］。前述したように、タイマーＴESがタイムアウトすると、満了の表示が生成されてもよい。
【００３８】
ＥＳＣ １７０（当該ＥＳＣ １７０を宛先ＥＳＣと仮定する）は、ＩＰ ＰＤＵを受信し、適切な動作実行する［ステップ５５０］。例えば、ＥＳＣ １７０は、非常事態応答メッセージを生成し、非常事態パケットトランザクションを発信した移動端末１１０へと生成されたメッセージを送信してもよい。このケースで、ＥＳＣ １７０は、適切なメッセージを生成し、ＥＳＣ １７０に対応する発信元ＩＰアドレスと、移動端末１１０に対応する宛先アドレスとを有するＩＰ層のＰＤＵを送信する。ＧＧＳＮ １４０は、ＰＤＮ１６０を介してＥＳＣ１７０からＩＰ層のＰＤＵを受信する［ステップ５６０］。これらのＩＰ層のＰＤＵは、ＩＰトンネリング（例えば、ＧＰＲＳインフラストラクチャーのために定義されているようなＧＴＰ）を使用して関連するＳＧＳＮ１３０へと転送されてもよい［ステップ５６０］。ＳＧＳＮ １３０は、ＩＰ層ＰＤＵ受信して、それらを移動端末１１０へと送信する［ステップ５７０］ＳＧＳＮ １３０は、同様に、ＧＧＳＮ １４０からＩＰ層のＰＤＵを受信した後、タイマーＴESをリスタートさせてもよい［ステップ５７０］。
【００３９】
ＩＭＳＩが現在関連付けられているＥＳＣに対応する発信元ＩＰアドレスと、当該ＩＭＳＩに関連付けられている宛先ＩＰアドレスとを有する、ＧＧＳＮ１４０によってＰＤＮ１６０から受信された追加のＩＰ層ＰＤＵは、当該ＩＭＳＩをサポートしている移動端末１１０へと伝達すべく、関連するＳＧＳＮ１３０へと転送されてもよい。しかしながら、ＩＭＳＩが現在関連付けられていないＥＳＣに対応する発信元ＩＰアドレスと、当該ＩＭＳＩに関連付けられていない宛先ＩＰアドレスとを有する、ＰＤＮ１６０から受信された何れかのＩＰ層ＰＤＵは、廃棄されてもよい。
【００４０】
本発明は、同一のＥＳＣにおいて進行している同時並行的な非常事態パケットのトランザクションを複数の移動端末１１０が有している状況を取り扱ってもよい。このケースでは、非常事態パケットトランザクションの初期設定の際にＧＧＳＮ１４０によって各異動端末１０へと割り当てられたそれぞれの宛先ＩＰアドレスにより、ＥＳＣによって生成された連続のＩＰ層ＰＤＵを正しい移動端末１１０へと経路制御することができる。
【００４１】
本発明の実施形態に係る上述の説明は、図解と説明を提供するものであるが、これらは精緻に記載することを意図したものではないし、開示されたそのものの形式に限定することを意図してはいない。上述の開示の観点から変更や修正を行なうことは可能であり、これらの変更や修正は本発明の実施のために必要とされてもよい。
【００４２】
例えば、ＥＧＰＲＳまたはＥＧＰＲＳ−１３６にしたがって動作するシステムのようなパケットデータシステムにおける、移動端末とネットワーク・サポート・インフラストラクチャーの記述の中で本発明を説明してきた。本発明は、同様に、他のパケットデータネットワークにおいても使用可能である。例えば、本発明は、ＧＰＲＳシステム、セルラーデジタルパケットデータ（ＣＤＰＤ）システム、あるいはグローバルな革新のための拡張データレート（ＥＤＧＥ）システムにおいて使用されてもよい。さらに、様々な処理を実行するＢＳ、ＳＧＳＮ、およびＧＧＳＮについて説明してきた。本発明の他の実施形態において、ＢＳ、ＳＧＳＮ、およびＧＧＳＮによって実行されるものとして説明してきた機能の１以上について、他の装置によって実行されてもよい。さらに、本発明の他の実施形態において、ＢＳ、ＳＧＳＮ、およびＧＧＳＮによって実行されるものとして説明してきた機能は、単一の装置によって実行されてもよい。さらに、図３ないし図５に関連付けて一連のステップを説明してきたが、本発明に係る他の実施形態においては、ステップの順序を変更してもよい。本発明の説明において用いられた要素、ステップまたはインストラクションは、明確に必須または重要と記述したものを除き、必須または重要なものと解釈すべきではない。
【００４３】
さらに、パケットデータネットワークを利用する移動通信用の統合システム（ＧＳＭ）のセルラー通信環境の記述において本発明を説明してきた。本発明は、ＧＳＭのセルラーネットワークのパフォーマンスを改善するために特に役立つかもしれないが、一方で、時分割多元接続（ＴＤＭＡ）、符号分割多元接続（ＣＤＭＡ）、あるいは周波数分割多元接続（ＦＤＭＡ）のような他のエアインタフェースを利用してい何れのセルラーシステムまたは無線システムにおいても本発明の技術思想は適用可能であることは理解されなければならない。さらに、上述のエアインタフェースを２以上組み合わせてなるハイブリッドシステムにおいても本発明の技術思想が適用可能であることは理解されなければならない。さらに、本発明に係る移動端末は、ＧＳＭ、ＴＤＭＡ、ＣＤＭＡ、ＦＤＭＡ、これらのような標準または他の標準のハイブリッドに基づいた何れかの規格を使用して、基地局通信装置と通信するように設計されてもよい。
【００４４】
さらに、本発明は、セルラー通信システム、方法、およびコンピュータプログラムプロダクトの少なくとも一つとして実現可能である。それゆえ、本発明は、ハードウェアおよびソフトウエア（ファームウェア、搭載ソフトウエア、マイクロコード、その他などを含む）の少なくとも一つにおいて実現可能である。さらに、本発明は、インストラクション実行システムと関連して、または当該システムによって使用される媒体内で具現化された、コンピュータ使用可能プログラムコードまたはコンピュータ可読プログラムコードを有するコンピュータ使用可能記憶媒体またはコンピュータ可読記憶媒体上で、コンピュータプログラムプロダクトの形式をとってもよい。この文書の記述において、コンピュータで使用可能な記憶媒体もしくはコンピュータ可読媒体は、インストラクションを実行するシステム、装置もしくはデバイスによって、または当該システム、装置もしくはデバイスと関連して使用されるプログラムを含み、記憶可能であり、通信可能であり、頒布可能であり、配送可能である。コンピュータで使用可能な記憶媒体もしくはコンピュータ可読媒体は、以下のものに限定されないが、例えば、電気、磁気、光、電磁気、赤外線もしくは半導体のシステム、装置、デバイス、もしくは頒布媒体などであろう。コンピュータで使用可能な記憶媒体もしくはコンピュータ可読媒体についてのより具体例は、一以上のワイヤーを有する電気的な接続、持ち運び可能なコンピュータディスケット、ランダムアクセスメモリ（ＲＡＭ）、リードオンリーメモリ（ＲＯＭ）、消去およびプログラム可能なリードオンリーメモリ（ＥＰＲＯＭもしくはフラッシュメモリ）、光ファイバー、持ち運び可能なコンパクトディスク・リードオンリーメモリ（ＣＤ−ＲＯＭ）などであろう。なお、コンピュータで使用可能な記憶媒体もしくはコンピュータ可読媒体には、プログラムが印刷された紙や他の適宜の媒体も含まれよう。これらは、例えば紙や他の媒体の光学読み取りによって電気的に取り込み、コンパイル、解釈または他の適切な手法により処理し、必要であれば、コンピュータのメモリに記憶される。
【００４５】
本発明の範囲は、請求項とそれらの均等物によって定義される。
【図面の簡単な説明】
【００４６】
この明細書の一部を構成するとともに当該明細書に組み込まれている添付図面は、本発明を図解したものであり、明細書の記述とともに本発明を説明するものである。
【図１】図１は、本発明に係るシステムおよび方法を実行可能な例示的ネットワークを示す図である。
【図２】図２は、本発明を実現可能な図１における移動端末の例示的な構成を示す図である。
【図３】、
【図４】、
【図５】図３ないし図５は、本発明の実施態様において、非常事態パケットデータのトランザクションを開始して完了するための例示的な処理手続を示す図である。
【図１】
2004533164.tif 000003
【図２】
2004533164.tif 000004
【図３】
2004533164.tif 000005
【図４】
2004533164.tif 000006
【図５】
2004533164.tif 000007
【国際公開パンフレット】
2004533164.tif 000008
2004533164.tif 000009
2004533164.tif 000010
2004533164.tif 000011
2004533164.tif 000012
2004533164.tif 000013
2004533164.tif 000014
2004533164.tif 000015
2004533164.tif 000016
2004533164.tif 000017
2004533164.tif 000018
2004533164.tif 000019
2004533164.tif 000020
2004533164.tif 000021
2004533164.tif 000022
2004533164.tif 000023
2004533164.tif 000024
2004533164.tif 000025
2004533164.tif 000026
【国際調査報告】
2004533164.tif 000027
2004533164.tif 000028